(57)【要約】      （修正有）【課題】エスカレーター掃除機の性能を発揮し、安全に清掃作業をするためには、エスカレーターの乗り口の限られた範囲に設置、保持する必要が有った。【解決手段】エスカレーターのデッキボード端部にエスカレーター掃除機１に連接された２及び３の金属製横棒を当て、４及び５の前後位置決め金具で掃除機の適正な位置を決め、６の固定ボルトを締め、固定する。上記の操作後エスカレーター掃除機を運転することにより、掃除機の能力を発揮できると共に作業の安全性と有益性を確保できる装置である。【選択図】図３
2011168397.tif 000002
【特許請求の範囲】
【請求項１】
エスカレーター掃除機を清掃時においてエスカレーター本体に固定し、前後の位置を適正な位置に保つことを目的とする、エスカレーター掃除機の位置決め金具。
【請求項２】
エスカレーター掃除機をエスカレーター本体に位置決め固定するためのエスカレーター本体に当てる横棒を伸縮構造とする、エスカレーター掃除機の位置決め金具。
【請求項３】
エスカレーター掃除機の前後の位置決めする方法を伸縮構造とし、その固定をネジの締め付け圧の摩擦による構造のエスカレーター掃除機の位置決め金具。
【請求項４】
エスカレーター掃除機の位置決め金具をエスカレーター掃除機本体との脱着を１操作構造としたエスカレーター掃除機の位置決め金具。
【発明の詳細な説明】
【技術分野】
【０００１】  エスカレーター踏み板掃除機の位置決め、及び保持に関する。
【背景技術】
【０００２】  エスカレーター踏み板の掃除機は、踏み板の形状が凹凸でその溝は深さが１０ミリメートル程度あるため、回転ブラシによる塵の掻き出しと真空掃除機の組み合わせによる掃除機が有効であった。
【参考資料】
蔵王産業株式会社が輸入販売しているＣＩＭＥＸ−Ｘ４６エスカレータークリーナー
【発明の開示】
【発明が解決しようとする課題】
【０００３】  設置後数年が経過したエスカレーター踏み板掃除において、踏み板に蓄積した塵を除去するには、蓄積された多くの塵をブラシで掻き揚げ、真空掃除機で回収する必要があった。【０００４】  エスカレーター清掃は通常下側の乗り口に掃除機を設置し、エスカレーターを昇り運転で行う、このとき踏み板の乗り口部は平らであるが、上昇運転のため直ぐに上側に段差が出来、やがて高さ２０センチメートルの蹴上部が形成される。【０００５】  このため掃除機の設置位置は狭い範囲に限られるもので、設置位置の決定と保持は重要な事柄である。【０００６】  エスカレーターの踏み板面に数年蓄積した塵は、踏段駆動用チエンの潤滑油が表面ににじみ出る為、潤滑油と一体となった粘土状の汚れとなっている。この汚れを除去するため、掃除機のブラシ回転対し強い反力が掛かり、この反力のために掃除機本体が踏み段側へ移動し、掃除機の適正な位置が保たれないことが起っていた。【０００７】  掃除機が踏み段側に移動すると、上昇した踏み段の段鼻に当たり強い衝撃が発生すると共に、掃除機の回転ブラシが踏み段から離れ清掃不能となっていた。
【課題を解決するための手段】
【０００８】  エスカレーター掃除機を正確な位置に設置し、その位置を保持するためには、エスカレーター本体の立体部分を利用して固定し、保持することを有効な手段とした。【０００９】  エスカレーター本体の内、手摺ベルトが収納される位置のデッキボード（エスカレーターの下部フレーム）の端部に、掃除機に連接した金属製の横棒を当て、掃除機が踏み段側に移動することを防ぐ装置を設置する。【００１０】  前後の位置調整の金具として金属製の管を用い、大径の管の内径に近い外形の管又は棒を挿入し、挿入した管又は棒をネジ等で押え又は締め付け、摩擦により移動を制御することにより、掃除機の位置を決めて保持するものとする。【００１１】  該デッキボード端部と踏み板までの距離はエスカレーターの機種、設置場所により２０センチメートルから１２０センチメートルまでの距離があるため、２０センチメートルから６０センチメートルまで調節できる金具と６０センチメートルから１２０センチメートルまで調節できる金具の２組の金具を用意して全機種に対応する。【００１２】    エスカレーター踏み段の幅が１メートル有る為、フレームに当てる横棒の使用時における長さは約１．３メートルとなり、移動・運搬時に不便な為、この横棒を伸縮式とし、縮めた状態では掃除機本体より張り出さない構造とする。【００１３】  位置決め金具とエスカレーター掃除機本体との脱着を１操作式とし、道具を用いることなく迅速に脱着出来き、エスカレーター掃除機の搬送及び回転ブラシの脱着時に容易に取り外す構造とした。
【発明の効果】
【００１４】  エスカレーター掃除機を適正な位置に配置し、その位置を保持することにより掃除機の能力を発揮すると共に作業の安全を確保する装置である。【００１５】  エスカレーター掃除機の移動・運搬において利便性が発揮され、作業者、施設管理者、施設の利用者等に安全性と有益性が向上するものである。
【発明を実施する為の最良の形態】
【実施例】
【００１６】  以下、本発明の実施の形態を図１から図５に基づいて説明する。【００１７】  図１
エスカレーター掃除機▲１▼に、▲７▼の１操作式取り付け金具を介し▲２▼▲３▼の左右及び▲４▼▲５▼の前後の位置決め金具を装着した図である。【００１８】  図２、図３
伸縮式左右位置決め金具▲３▼の横棒を引き出し、デッキボード▲１１▼の端部に当て設置する。【００１９】  図４
▲５▼の金具を伸縮して、エスカレーター掃除機の前後の位置を決め、▲６▼のボルトを締め固定する。【００２０】  図５
エスカレーター掃除機にバキュームクリーナーとセパレーター（塵の分離回収器）を設置し、ホースを接続する【００２１】  エスカレーター掃除機のブラシを回転させ、連結したバキュームクリーナーを運転する。【００２２】  エスカレーターを昇り方向に運転する。【００２３】  右又は左端に設置していたエスカレーター掃除機を、反対側の端に移動し、未清掃部分を掃除する
【図面の簡単な説明】
【００２４】
【図１】  エスカレーター掃除機▲１▼に、１操作式取り付け金具▲７▼、左右▲２▼▲３▼及び前後▲５▼の位置決め金具を装着した図である。
2011168397.tif 000003
【００２５】
【図２】  エスカレーター掃除機に、左右及び前後の位置決め金具を装着し、左右調節金具▲３▼を引き出した図である。
2011168397.tif 000004
【００２６】
【図３】  エスカレーター掃除機▲１▼を、エスカレーターのコムプレート▲１１▼に設置した状態の平面図である。
2011168397.tif 000005
【００２７】
【図４】  エスカレーター掃除機▲１▼を横から見た図で、前後調節金具▲４▼▲５▼で前後の位置を決め、▲６▼で固定した図である。
2011168397.tif 000006
【００２８】
【図５】  エスカレーター掃除機の使用時の図である。
2011168397.tif 000007
【符号の説明】
【００２９】▲１▼エスカレーター掃除機
▲２▼左右位置決め金具（外側）
▲３▼左右位置決め金具（内側）
▲４▼前後位置決め金具（外側）
▲５▼前後位置決め金具（内側）
▲６▼固定ボルト
▲７▼１操作式取り付け金具
▲８▼エスカレーター移動手摺
▲９▼エスカレーター踏み板
▲１０▼櫛歯
▲１１▼デッキボード
▲１２▼コムプレート
【図３】
2011168397.tif 000008
【図４】
2011168397.tif 000009
【手続補正書】
【提出日】平成22年4月19日(2010.4.19)
【手続補正１】
【補正対象書類名】明細書
【補正対象項目名】全文
【補正方法】変更
【補正の内容】
【発明の詳細な説明】
【技術分野】
【０００１】  エスカレーター踏み板掃除機の位置決め、及び保持に関する。
【背景技術】
【０００２】  エスカレーター踏み板の掃除機は、踏み板の形状が凹凸でその溝は深さが１０ミリメートル程度あるため、回転ブラシによる麈の掻き出しと真空掃除機の組み合わせによる掃除機が有効であった。
【参考資料】
蔵王産業株式会社が輸入販売しているＣＩＭＥＸ−Ｘ４６エスカレータークリーナー
【発明の開示】
【発明が解決しようとする課題】
【０００３】  設置後数年が経過したエスカレーター踏み板掃除において、踏み板に蓄積した塵を除去するには、蓄積された多くの塵をブラシで掻き揚げ、真空掃除機で回収する必要があった。【０００４】エスカレーター清掃は通常下側の乗り口に掃除機を設置し、エスカレーターを昇り運転で行う、このとき踏み板の乗り口部は平らであるが、上昇運転のため直ぐに上側に段差が出来、やがて高さ２０センチメートルの蹴上部が形成される。【０００５】  このため掃除機の設置位置は狭い範囲に限られるもので、設置位置の決定と保持は重要な事柄である。【０００６】  エスカレーターの踏み板面に数年蓄積した塵は、踏段駆動用チエンの潤滑油が表面ににじみ出る為、潤滑油と一体となった粘土状の汚れとなっている。この汚れを除去するため、掃除機のブラシ回転対し強い反力が掛かり、この反力のために掃除機本体が踏み段側へ移動し、掃除機の適正な位置が保たれないことが起っていた。【０００７】  掃除機が踏み段側に移動すると、上昇した踏み段の段鼻に当たり強い衝撃が発生すると共に、掃除機の回転ブラシが踏み段から離れ清掃不能となっていた。
【課題を解決するための手段】
【０００８】  エスカレーター掃除機を正確な位置に設置し、その位置を保持するためには、エスカレーター本体の立体部分を利用して固定し、保持することを有効な手段とした。【０００９】  エスカレーター本体の内、手摺ベルトが収納される位置のデッキボード（エスカレーターの下部フレーム）の端部に、掃除機に連接した金属製の横棒を当て、掃除機が踏み段側に移動することを防ぐ装置を設置する。【００１０】  前後の位置調整の金具として金属製の管を用い、大径の管の内径に近い外形の管又は棒を挿入し、挿入した管又は棒をネジ等で押え又は締め付け、摩擦により移動を制御することにより、掃除機の位置を決めて保持するものとする。【００１１】  該デッキボード端部と踏み板までの距離はエスカレーターの機種、設置場所により２０センチメートルから１２０センチメートルまでの距離があるため、２０センチメートルから６０センチメートルまで調節できる金具と６０センチメートルから１２０センチメートルまで調節できる金具の２組の金具を用意して全機種に対応する。【００１２】  エスカレーター踏み段の幅が１メートル有る為、フレームに当てる横棒の使用時における長さは約１．３メートルとなり、移動・運搬時に不便な為、この横棒を伸縮式とし、縮めた状態では掃除機本体より張り出さない構造とする。【００１３】  位置決め金具とエスカレーター掃除機本体との脱着を１操作式とし、道具を用いることなく迅速に脱着出来き、エスカレーター掃除機の搬送及び回転ブラシの脱着時に容易に取り外す構造とした。
【発明の効果】
【００１４】  エスカレーター掃除機を適正な位置に配置し、その位置を保持することにより掃除機の能力を発揮すると共に作業の安全を確保する装置である。【００１５】エスカレーター掃除機の移動・運搬において利便性が発揮され、作業者施設管理者、施設の利用者等に安全性と有益性が向上するものである。
【発明を実施する為の最良の形態】
【実施例】
【００１６】以下、本発明の実施の形態を図１から図５に基づいて説明する。【００１７】  図１
エスカレーター掃除機▲１▼に、▲７▼の１操作式取り付け金具を介し▲２▼▲３▼の左右及び▲４▼▲５▼の前後の位置決め金具を装着した図である。【００１８】  図２、図３
伸縮式左右位置決め金具▲３▼の横棒を引き出し、デッキボード▲１１▼の端部に当て設置する。【００１９】  図４
▲５▼の金具を伸縮して、エスカレーター掃除機の前後の位置を決め、▲６▼のボルトを締め固定する。【００２０】  図５
エスカレーター掃除機にバキュームクリーナーとセパレーター（塵の分離回収器）を設置し、ホースを接続する【００２１】  エスカレーター掃除機のブラシを回転させ、連結したバキュームクリーナーを運転する。【００２２】  エスカレーターを昇り方向に運転する。【００２３】  右又は左端に設置していたエスカレーター掃除機を、反対側の端に移動し、未清掃部分を掃除する
【図面の簡単な説明】
【００２４】
【図１】エスカレーター掃除機▲１▼に、１操作式取り付け金具▲７▼、左右▲２▼▲３▼及び前後▲４▼▲５▼の位置決め金具を装着した図である。
【図２】エスカレーター掃除機に、左右及び前後の位置決め金具を装着し、左右調節金具▲３▼を引き出した図である。
【図３】エスカレーター掃除機▲１▼を、エスカレーターのコムプレート▲１２▼に設置した状態の平面図である。
【図４】エスカレーター掃除機▲１▼を横から見た図で、前後調節金具▲４▼▲５▼で前後の位置を決め、▲６▼で固定した図である。
【図５】エスカレーター掃除機の使用時の図である。
【符号の説明】
【００２５】▲１▼エスカレーター掃除機
▲２▼左右位置決め金具（外側）
▲３▼左右位置決め金具（内側）
▲４▼前後位置決め金具（外側）
▲５▼前後位置決め金具（内側）
▲６▼固定ボルト
▲７▼１操作式取り付け金具
▲８▼エスカレーター移動手摺
▲９▼エスカレーター踏み板
▲１０▼櫛歯
▲１１▼デッキボード
▲１２▼コムプレート
【手続補正２】
【補正対象書類名】図面
【補正対象項目名】全図
【補正方法】変更
【補正の内容】
【図１】
2011168397.tif 000010
【図２】
2011168397.tif 000011
【図３】
2011168397.tif 000012
【図４】
2011168397.tif 000013
【図５】
2011168397.tif 000014